(57)【要約】        【課題】  スロットマシンに関し、前面扉を閉じた状態で、例えばＲＦＩＤ等の記憶媒体における情報の読み込み又は書き込みの少なくとも何れか一方を行うことができるようにすることを目的とする。        【解決手段】リールユニット400、ホッパーユニット430、電源ユニット420、電子制御装置（例えば主基板410）の少なくとも何れか１つには、当該１つに固有な情報が記憶された記憶媒体（例えばＲＦＩＤ300）を備える。筐体110の内部には、記憶媒体(300)の情報の読み込み又は書き込みの少なくとも何れか一方を可能とするアンテナ200を設ける。アンテナ200は、記憶媒体の情報の読み込み又は書き込みの少なくとも何れか一方が可能な装置（図示せず）と接続可能なものである。    【選択図】    図１
2005073816.tif 000002
【特許請求の範囲】
【請求項１】
前面の少なくとも一部を開放した中空箱形の中空箱体、及び前記前面の開放部に開閉可能に取り付けられる前面扉からなる筐体と、
前記筐体の外部から内部への電波の侵入を遮断する電波遮断部材とを備え、
前記筐体の中空部には、
図柄を可変表示可能なリールユニットと、
メダルを払い出し可能なホッパーユニットと、
前記リールユニット及びホッパーユニットにそれぞれ接続され、前記リールユニット及びホッパーユニットに電力をそれぞれ供給する電源ユニットと、
前記リールユニット及びホッパーユニットにそれぞれ接続され、前記リールユニット及びホッパーユニットを制御する電子制御装置とを備え、
前記リールユニット、前記ホッパーユニット、前記電源ユニット、前記電子制御装置の少なくとも何れか１つには、
当該１つに固有な情報が記憶された記憶媒体を備えるスロットマシンであって、
前記筐体の内部には、前記記憶媒体の情報の読み込み又は書き込みの少なくとも何れか一方を可能とするアンテナを設け、
前記アンテナは、前記記憶媒体の情報の読み込み又は書き込みの少なくとも何れか一方が可能な装置と接続可能なものであることを特徴とするスロットマシン。
【請求項２】
請求項１に記載のスロットマシンであって、
前記アンテナは、
前記筐体の内部に配置され、前記記憶媒体の情報の読み込み又は書き込みの少なくとも何れか一方を可能とする第一アンテナと、
前記筐体の外部に配置され、前記第一アンテナと接続された第二アンテナとから構成され、
前記第二アンテナは、前記装置と接続可能なものであることを特徴とするスロットマシン。
【請求項３】
請求項１又は請求項２に記載のスロットマシンであって、
前記アンテナは、前記スロットマシンがホールに設置された後に接地されることを特徴とするスロットマシン。
【請求項４】
請求項１〜３のいずれか１項に記載のスロットマシンであって、
前記アンテナは、着脱可能に設けられていることを特徴とするスロットマシン。
【発明の詳細な説明】
【技術分野】
【０００１】
この発明は、スロットマシンに関するものである。
【背景技術】
【０００２】
従来、遊技機では、遊技性に係る主要な制御を行うメイン基板等の電子制御装置に、非接触でＩＤコード等を認識可能とさせる記憶媒体となるＲＦＩＤ（Radio Frequency Identification、以下「ＲＦＩＤ」という。）を装着し、ＲＦＩＤに対し情報の読み書きをできるようにしたものがある。
上記ＲＦＩＤは、情報の読み込み又は書き込みの少なくとも何れか一方が可能な装置（以下「読込・書込装置」という。）にもとづく電波を介して非接触に情報を読み書き可能な記憶媒体で、集積回路（記憶部を含む。）とアンテナ部等とからなる応答機である。そして、読込・書込装置は、制御部と、発信部と、アンテナ部等とからなる質問機である。
【０００３】
一方、スロットマシンは、一般的には、その筐体の内部に配置する遊技者の操作に応じて電気的な制御処理を行う電子制御装置の誤動作防止のために、該内部に進入する電波を遮断するシート等を装着したり、或いは電波を遮断する素材を用いた筐体の構成としている。
【発明の開示】
【発明が解決しようとする課題】
【０００４】
しかし、上記した従来のスロットマシンの場合には、その筐体の内部に電波遮断シート等が装着されているため、前面扉を閉めると、ＲＦＩＤに対し発信された電波が電波遮断シートに遮断され、筐体の外部からの読込・書込装置の電波を介して行うＲＦＩＤの情報が読み書きが不能になってしまうという問題点があった。
すなわち、従来のスロットマシンでは、筐体の前面側方に軸支されている前面扉の開放後、筐体の内部に読込・書込装置のアンテナ部を入れ、ＲＦＩＤに対し情報の読み書きを実行するようにし、その後、前面扉を閉じなければならなかった。しかし、前面扉の開閉が面倒で、時間が掛かるという欠点があった。
【０００５】
そこで、各請求項にそれぞれ記載された各発明は、上記した従来の技術の有する問題点に鑑みてなされたものであり、その目的とするところは、次の点にある。
（請求項１）
すなわち、請求項１に記載の発明は、前面扉を閉じた状態で、例えばＲＦＩＤ等の記憶媒体における情報の読み込み又は書き込みの少なくとも何れか一方を行うことができるようにしたものである。
（請求項２）
請求項２に記載の発明は、上記した請求項１に記載の発明の目的に加え、次の点を目的とする。
【０００６】
すなわち、請求項２に記載の発明は、互いに接続された第一・第二アンテナを、筐体の内部と外部とに配置することで、記憶媒体における情報の読み込み又は書き込みの少なくとも何れか一方を、より一層、効率良く行うことができるようにしたものである。
（請求項３）
請求項３に記載の発明は、上記した請求項１又は請求項２に記載の発明の目的に加え、次の点を目的とする。
【０００７】
すなわち、請求項３に記載の発明は、ホールに設置後、アンテナを接地することで、異常電圧等の発生から機器を保護することができるようにしたものである。
（請求項４）
請求項４に記載の発明は、上記した請求項１〜３のいずれか１項に記載の発明の目的に加え、次の点を目的とする。
【０００８】
すなわち、請求項４に記載の発明は、検査終了後、アンテナを取り外すことで、他のスロットマシンに再利用することができるようにしたものである。
【課題を解決するための手段】
【０００９】
各請求項にそれぞれ記載された各発明は、上記した各目的を達成するためになされたものであり、各発明の特徴点を図面に示した発明の実施の形態を用いて、以下に説明する。
なお、カッコ内の符号は、発明の実施の形態において用いた符号を示し、本発明の技術的範囲を限定するものではない。
また、図面番号も、発明の実施の形態において用いた図番を示し、本発明の技術的範囲を限定するものではない。
（請求項１）
請求項１に記載の発明は、次の点を特徴とする。
【００１０】
第一に、スロットマシン(100)には、例えば図１〜２に示すように、次の構成を備える。
（１）中空箱体(110)
中空箱体(110)は、例えば図１〜２に示すように、前面の少なくとも一部を開放した中空箱形のものである。
【００１１】
（２）前面扉(120)
前面扉(120)は、例えば図１〜２に示すように、前面の開放部に開閉可能に取り付けられるものである。
（３）電波遮断部材（図示せず）
電波遮断部材は、図示しないが、筐体(101)の外部から内部への電波の侵入を遮断するものである。
【００１２】
第二に、中空箱体(110)及び前面扉(120)からなる筐体(101)の中空部(190)には、例えば図１〜２に示すように、次の構成を備える。
（４）リールユニット(400)
リールユニット(400)は、図示しないが、図柄を可変表示可能なものである。
（５）ホッパーユニット(430)
ホッパーユニット(430)は、図示しないが、メダルを払い出し可能なものである。
【００１３】
（６）電源ユニット(420)
電源ユニット(420)は、図示しないが、リールユニット(400)及びホッパーユニット(430)にそれぞれ接続され、リールユニット(400)及びホッパーユニット(430)に電力をそれぞれ供給するものである。
（７）電子制御装置（例えば主基板410）
電子制御装置（例えば主基板410）は、図示しないが、リールユニット(400)及びホッパーユニット(430)にそれぞれ接続され、リールユニット(400)及びホッパーユニット(430)を制御するものである。
【００１４】
なお、電子制御装置は、主基板(410)に限定されず、例えば図１〜２に示すように、サブ基板(440)を含んでいても良い。
第三に、リールユニット(400)、ホッパーユニット(430)、電源ユニット(420)、電子制御装置（例えば主基板410）の少なくとも何れか１つには、例えば図１〜２に示すように、当該１つに固有な情報が記憶された記憶媒体（例えばＲＦＩＤ300）を備える。
【００１５】
なお、記憶媒体は、ＲＦＩＤ(300)に限定されない。
第四に、筐体(101)の内部には、例えば図１〜２に示すように、記憶媒体（例えばＲＦＩＤ300）の情報の読み込み又は書き込みの少なくとも何れか一方を可能とするアンテナ(200)を設ける。
第五に、アンテナ(200)は、記憶媒体の情報の読み込み又は書き込みの少なくとも何れか一方が可能な装置（例えば読込・書込装置）と接続可能なものである。
【００１６】
なお、アンテナ(200)と装置（例えば読込・書込装置）との接続は、有線的（コネクト）な接続でも、無線的（非接触）な接続でも良い。また、装置は、読込・書込装置（図示せず）に限定されない。
（請求項２）
請求項２に記載の発明は、上記した請求項１に記載の発明の特徴点に加え、次の点を特徴とする。
【００１７】
第一に、アンテナ(210〜240)は、例えば図６〜８に示すように、第一アンテナ（例えば内部アンテナ211,221,231,241）と、第二アンテナ（例えば外部アンテナ212,222,232,242）とから構成されている。
第一アンテナ（例えば内部アンテナ211,221,231,241）は、例えば図６〜７に示すように、筐体(101)の内部に配置され、記憶媒体（例えばＲＦＩＤ300）の情報の読み込み又は書き込みの少なくとも何れか一方を可能とするものである。
【００１８】
なお、第一アンテナ（例えば内部アンテナ211,221,231,241）の数は、単数でも、複数でも良い。
また、記憶媒体は、ＲＦＩＤ(300)に限定されない。
第二アンテナ（例えば外部アンテナ212,222,232,242）は、例えば図６〜８に示すように、筐体(101)の外部に配置され、第一アンテナ（例えば内部アンテナ211,221,231,241）と接続されたものである。
【００１９】
なお、第二アンテナ（例えば外部アンテナ212,222,232,242）の数は、単数でも、複数でも良い。
また、第二アンテナ（例えば外部アンテナ212,222,232,242）と第一アンテナ（例えば内部アンテナ211,221,231,241）との接続は、有線的（コネクト）な接続でも、無線的（非接触）な接続でも良い。
【００２０】
第二に、第二アンテナ（例えば外部アンテナ212,222,232,242）は、例えば図８に示すように、装置（例えば読込・書込装置500）と接続可能なものである。
なお、第二アンテナ（例えば外部アンテナ212,222,232,242）と装置（例えば読込・書込装置500）との接続は、有線的（コネクト）な接続でも、無線的（非接触）な接続でも良い。また、装置は、読込・書込装置（図示せず）に限定されない。
（請求項３）
請求項３に記載の発明は、上記した請求項１又は請求項２に記載の発明の特徴点に加え、次の点を特徴とする。
【００２１】
すなわち、アンテナ(200)は、図示しないが、スロットマシン(100)がホールに設置された後に接地される。
（請求項４）
請求項４に記載の発明は、上記した請求項１〜３のいずれか１項に記載の発明の特徴点に加え、次の点を特徴とする。
【００２２】
すなわち、アンテナ(200)は、着脱可能に設けられている。
【発明の効果】
【００２３】
本発明は、以上のように構成されているので、以下に記載されるような効果を奏する。
（請求項１）
請求項１に記載の発明によれば、次のような効果を奏する。
すなわち、請求項１に記載の発明によれば、前面扉を閉じた状態で、例えばＲＦＩＤ等の記憶媒体における情報の読み込み又は書き込みの少なくとも何れか一方を行うことができる。
（請求項２）
請求項２に記載の発明によれば、上記した請求項１に記載の発明の効果に加え、次のような効果を奏する。
【００２４】
すなわち、請求項２に記載の発明によれば、互いに接続された第一・第二アンテナを、筐体の内部と外部とに配置することで、記憶媒体における情報の読み込み又は書き込みの少なくとも何れか一方を、より一層、効率良く行うことができる。
（請求項３）
請求項３に記載の発明によれば、上記した請求項１又は請求項２に記載の発明の効果に加え、次のような効果を奏する。
【００２５】
すなわち、請求項３に記載の発明によれば、ホールに設置後、アンテナを接地することで、異常電圧等の発生から機器を保護することができる。
（請求項４）
請求項４に記載の発明によれば、上記した請求項１〜３のいずれか１項に記載の発明の効果に加え、次のような効果を奏する。
【００２６】
すなわち、請求項４に記載の発明によれば、検査終了後、アンテナを取り外すことで、他のスロットマシンに再利用することができる。
【発明を実施するための最良の形態】
【００２７】
（図面の説明）
図１〜５は、本発明の第一の実施の形態の一例をそれぞれ示すものである。
図１は、スロットマシンの分解斜視図、図２はアンテナを取り付けた状態を示すスロットマシンの斜視図、図３は筐体とアンテナの分解断面図及びアンテナの一部拡大図、図４はアンテナを取り付けた状態を示す筐体の断面図、図５は主基板及びケースの一部斜視図をそれぞれ示すものである。
【００２８】
図６〜８は、本発明の第二の実施の形態の一例をそれぞれ示すものである。
図６は、スロットマシンの分解斜視図、図７はアンテナを取り付けた状態を示す筐体の断面図、図８は内部アンテナと外部アンテナとを説明するための説明図をそれぞれ示すものである。
（スロットマシン100）
図１〜２中、100は、スロットマシンを示すものである。
【００２９】
上記スロットマシン100の筐体101は、大別すると、図１〜２に示すように、次のパーツを備える。
（１）中空箱体110
（２）前面扉120
（３）ヒンジ装置130
（４）アンテナ200
なお、スロットマシン100の筐体101を構成するパーツは、上記した（１）〜（４）に限定されない。
（中空箱体110）
中空箱体110は、図１〜２に示すように、前面の少なくとも一部を開放した中空箱形に形成され、その中空部190に、後述するが、リールユニット400、主基板410やサブ基板440等の電子制御装置、電源ユニット420、ホッパーユニット430、メダルセレクター450等の部材が配置されるようになっている。
【００３０】
具体的には、中空箱体110は、図２〜４に示すように、底板140、左右の側板150,160、天板170、背板180から構成されている。そして、中空箱体110と前面扉120との間隔内には、中空部190が形成され、前記部材等を配置可能としている。
上記左右の側板150,160は、図２に示すように、筐体101の外側から中空部190に貫通する左右一対の取手穴151,161を設けている。
【００３１】
背板180には、図２に示すように、筐体101の外側から中空部190に貫通し、複数の通気溝181を設けている。
一方、中空箱体110の内面には、図示しないが、前面扉120を閉じた状態で中空箱体110の外部から中空部190への電波の侵入を遮断する、アルミ製のシートを貼付するなど、電波対策が可能な電波遮断部材を設けている。
【００３２】
なお、電波遮断部材（図示せず）は、前面扉120の内面を含めた筐体101の内面に限定されず、外面でも良く、或いは筐体101を構成する素材そのもの（底板140、左右の側板150,160、天板170、背板180）を電波遮断可能なもので設けても良い。
（前面扉120）
前面扉120は、図１〜２に示すように、中空箱体110の左側の側板150にヒンジ装置130を介して開閉可能に取り付けられ、中空箱体110の解放部を開閉するものである。
【００３３】
また、前面扉120は、図示しないが、開動作を規制する施錠装置、リールユニット400のリールに表示された図柄の可変表示を視認させる窓、リールを回転・停止させる操作部等が設けられている。
（アンテナ200）
アンテナ200は、図１〜４に示すように、筐体110に取り付けられ、後述するが、スロットマシン100に関する情報が記憶される記憶媒体であるＲＦＩＤ300（Radio Frequency Identification、以下「ＲＦＩＤ」という。）の情報の読み込み又は書き込みの少なくとも何れか一方を可能とするものである。
【００３４】
アンテナ200は、必要な情報を捉える手段となるものであり、具体的には、ＲＦＩＤ300の情報の読み込み又は書き込みの少なくとも何れか一方が可能な装置、例えば読込・書込装置（図示せず）から出力された電波や電磁波等を中継し、ＲＦＩＤ300に伝達するとともに、ＲＦＩＤ300から出力された電波を中継し、読込・書込装置に送信するためのものである。
【００３５】
なお、ＲＦＩＤ300の情報の読み込み又は書き込みの少なくとも何れか一方が可能な装置は、読込・書込装置に限定されない。
上記ＲＦＩＤ300は、情報の読み込み又は書き込みの少なくとも何れか一方が可能な装置、例えば読込・書込装置（図示せず）との間で電波を介して非接触に情報を読み書き可能な記憶媒体で、図示しないが、集積回路（記憶部を含む。）とアンテナ部等とからなる応答機である。
【００３６】
なお、記憶媒体は、ＲＦＩＤ300に限定されず、電波を介して非接触に情報を読み書き可能なものであれば良い。
上記読込・書込装置は、図示しないが、制御部と、発信部と、アンテナ等とからなる質問機である。
上記アンテナ200は、具体的には、図１〜４に示すように、方形の枠状を成し、中空箱体110の前面の環状となる開放縁部111に沿うように形成されている。
【００３７】
上記したように、アンテナ200を環状となる開放縁部111に沿って囲繞する態様で設けることで、中空箱体110内に配置される所定のパーツに設けられるＲＦＩＤ300の設置場所における電波の指向性に影響されることなく、読込・書込装置の制御処理による読み込み、識別、書き込み、更新等ができるようになる。
なお、指向性とは、アンテナ200から電波が出ていくとき（電波の放射特性）、方向によって強さが異なるという特性をいう。
【００３８】
具体的には、アンテナ200の内部には、図３に示すように、導線201が内蔵されている。そして、アンテナ200の下方左側には、図１に示すように、ひげ状の導出部202が設けられている。
導出部202は、読込・書込装置（図示せず）と接続可能なものである。
なお、導出部202と読込・書込装置との接続は、有線的（コネクト）な接続でも、無線的（非接触）な接続でも良い。
【００３９】
具体的には、導出部202は、アンテナ200を構成する部材であり、自由部材である。
自由部材は、フレキシブルに可変自在な部材をいう。
なお、自由部材は、ひげ状の導出部202に限定されず、自在な関節を有する部材からなる可動アンテナ等を含む。
なお、アンテナ200を構成する部材は、導線201や導出部202に限定されない。
【００４０】
これに対し、中空箱体110の前面の開放縁部111には、図３に示すように、アンテナ200が嵌り込む取付凹部112を形成している。また、筐体110の底板140の前方の左側には、図２〜３に示すように、内外に貫通する円形の貫通穴112を形成している。
アンテナ200は、取付凹部112に合わせてはめ込み、ネジや接着剤等で固定する。また、アンテナ200の導出部202は、図２に示すように、貫通穴112を通して外部に露出させたり、中空箱体110と前面扉120との間の扉開放部102から露出させたりする。
【００４１】
なお、貫通穴112は、アンテナ200の導出部202を出さないときには、図示しないが、閉鎖部材にて閉鎖される。また、この閉鎖部材に封印処理を施すと好適である。
情報の読み込み、識別、書き込み、更新等の検査時には、前面扉120を閉じた状態で、貫通穴112又は扉開放部102を通して外部に露出した導出部202に、読込・書込装置（図示せず）を接続したり、或いは読込・書込装置のアンテナ（図示せず）を指向させる。そして、読込・書込装置により、アンテナ200を介して、後述するが、中空部190に配置されたＲＦＩＤ300の情報の読み込みを実行したり、必要な場合には情報の書き込みを行う。
【００４２】
貫通穴112から導出部202を出して読込・書込装置（図示せず）と接続するようにすれば、前面扉120を開放せずに筐体101の内部のＲＦＩＤ300の情報の読み取り又は書き込みの少なくとも一方が行えるため、読込・書込装置の設置場所が電波等の指向、又は他の内部構造の異なる機種によって左右されず、定位置にて運用することができる。
上記検査終了後、アンテナ200を取り外し、他の機種のスロットマシン100にはめ込むようにすることで、再利用することができる。
【００４３】
また、アンテナ200を取り外さない場合には、スロットマシン100をホールに搬入後、設置時にアンテナ200の導出部202を接地させることで、異常電圧等の発生からスロットマシン100の機器を保護することができる。
なお、アンテナ200の形状は、方形の枠状に限定されない。また、アンテナ200の取付位置も、筐体110の前面の開放縁部111に限定されず、さらに奥側又は内面部に固定しても良いし、或いは前面扉120の開放縁部121に取り付けても良い。
【００４４】
一方、筐体110に取付凹部112を形成したが、これに限定されず、筐体110の中空部190内の所定部材を介してアンテナ200を格納しても良い。また、筐体110に貫通穴112を底板140に形成したが、これに限定されず、左側の側板150、右側の側板160、天板170、背板180、その他、中空部190へと通じる部材と部材との間に生じる隙間や、或いは必要に応じて設けられる取手穴151,161や通気溝181等の既存の穴や溝からアンテナ200の導出部202を外部に露出させても良い。
【００４５】
さらに、アンテナ200をネジや接着剤等で取付凹部112に固定したが、固定方法や固定場所は、これに限定されず、アンテナ200を着脱可能として、所要の検査終了後、アンテナ200を取り外し可能とすることで、再利用部品として活用できるようにしても良い。
（中空部190）
中空部190には、図１〜２に示すように、大別すると、次のパーツが配置されている。
【００４６】
なお、中空部190のパーツは、次の（１）〜（６）に限定されない。
（１）リールユニット400
リールユニット400は、表面に複数の図柄が貼付された３つのリールをモータにより回転・停止させることで、図柄を可変表示可能なものである。
（２）主基板410（電子制御装置）
主基板410は、例えば遊技者にとって有利な遊技状態にするか否かを抽選により決定し、リールの回転処理をする等、遊技性に係る主要な制御を行うためのものであり、図示しないが、例えばＣＰＵ、ＲＯＭ、ＲＡＭ、Ｉ／Ｏ等を備えている。
【００４７】
具体的には、主基板410は、図示しないが、リールユニット400、ホッパーユニット430、メダルセレクター450にそれぞれ接続され、これらのパーツを制御している。
（３）電源ユニット420
電源ユニット420は、図示しないが、電力を供給するものである。
具体的には、電源ユニット420は、リールユニット400、主基板410、ホッパーユニット430、サブ基板440、メダルセレクター450にそれぞれ接続され、これらのパーツに電力を供給している。
【００４８】
（４）ホッパーユニット430
ホッパーユニット430は、リールの回転処理にもとづいて予め定められた図柄が停止した場合に、メダルを遊技利益として払い出し可能なものである。
（５）サブ基板440（電子制御装置）
サブ基板440は、主基板410からのコマンドにもとづいて、図示しないが、スロットマシン100に設けられた各種のランプ（例えばＬＥＤ）、スピーカ、液晶表示装置、７セグメント等の制御を行うためのものであり、図示しないが、例えばＣＰＵ、ＲＯＭ、ＲＡＭ、Ｉ／Ｏ等を備えている。
【００４９】
なお、サブ基板440の数は、１個に限らず、複数個でも良い。
また、電子制御装置を、主基板410とサブ基板440とから構成したが、主基板410だけから構成しても良い。
（６）メダルセレクター450
メダルセレクター450は、図示しないが、前面扉120に設けられたメダル投入口から遊技を開始させるために投入されたメダルをセレクトするものである。
【００５０】
具体的には、メダルセレクター450は、不正なメダルを機外に返却するとともに、適正なメダルは機内に取り込み、ホッパーユニット430に供給したり、或いは蓄積する。
なお、ホッパーユニット430は、遊技終了時に蓄積したメダルを返却する機能を有している。
（ＲＦＩＤ300）
ＲＦＩＤ300は、図１〜２に示すように、次のパーツに取り付けられている。
【００５１】
なお、ＲＦＩＤ300を、次の（１）〜（６）に関する情報を少なくとも記憶させて個別に取り付けたが、（１）〜（６）のいずれか１個だけに、スロットマシン200に関する情報を記憶させたＲＦＩＤ300を取り付けても良い。また、ＲＦＩＤ300を取り付けるパーツ及びその取付け場所は、次の（１）〜（６）に限定されず、図示しないが、遊技操作部となるストップボタン、ＭＡＸＢＥＴボタン、スタートレバー等に取り付けても良い。
【００５２】
（１）リールユニット400
リールユニット400の側面に、図２に示すように、ＲＦＩＤ300aを取り付けている。
なお以下、ＲＦＩＤ300a〜300fの取付位置は、図示した側面に限定されない。
（２）主基板410
主基板410を不正に着脱不能に収納し、スロットマシン200の分離部材401に取り付けられるケース411内に、図２及び図５に示すように、ＲＦＩＤ300bを取り付けている。
【００５３】
具体的には、主基板410には、図５に示すように、タワー412を設け、その上面にＲＦＩＤ300bを取り付けている。タワー412を介してＲＦＩＤ300bを取り付けたのは、ケース411の表面にＲＦＩＤ300bを接近させることで、検出感度を向上するためである。
なお、ＲＦＩＤ300bの取付位置は、タワー412に限定されず、主基板410やケース411に取り付けても良い。
【００５４】
（３）電源ユニット420
電源ユニット420の側面に、図２に示すように、ＲＦＩＤ300cを取り付けている。
（４）ホッパーユニット430
ホッパーユニット430の側面に、図２に示すように、ＲＦＩＤ300dを取り付けている。
（５）サブ基板440
サブ基板440を保護するとともに、前面扉120に取り付けるケース441内に、図２に示すように、主基板410と同様に、ＲＦＩＤ300eを取り付けている。
【００５５】
（６）メダルセレクター450
メダルセレクター450には、図２に示すように、その中空部190に臨む背面に、ＲＦＩＤ300fを取り付けている。
なお、ＲＦＩＤ300fの取付位置は、メダルセレクター450の背面に限定されない。
（ＲＦＩＤ300の情報）
ＲＦＩＤ300には、上記した（１）〜（６）に固有な情報が記憶されている。
【００５６】
具体的には、ＲＦＩＤ300には、読込・書込装置（図示せず）による適宜のタイミングで、次の情報が読み込まれたり、書き込まれたり、更新される。
（１）ＩＤ番号
（２）メーカー情報
（３）ユニット名（例：コード）
（４）工場製造日
（５）工場検査日
（６）出荷日
（７）出荷先（例：コード）
（８）設置日
（９）設置場所
（１０）取付部品名（例：コード）
（１１）リサイクルのパラメータ
（１２）回収日
なお、ＲＦＩＤ300に対し記憶される情報は、上記した（１）〜（１２）に限定されない。
【００５７】
上記した（１１）のリサイクルのパラメータには、次の情報が含まれる。
（２０）リサイクルの有無
（２１）リサイクルの回数
（２２）耐久時間
（２３）リサイクル時の部品交換の有無
（２４）リサイクル時の交換部品名（例：コード）
なお、リサイクルのパラメータは、上記した（２０）〜（２４）に限定されない。
（情報の読み書きのタイミング）
読込・書込装置（図示せず）が所定のパーツに取り付けられるＲＦＩＤ300に対し行う情報の読み書きのタイミングは、次の通りである。
【００５８】
（１）製造工程
製造工程は、工場においてスロットマシン100を製造する工程であり、当該工程において、上記した（１）〜（１２）のうち、（１）〜（５）、及び（１０）〜（１１）の情報が書き込まれる。
また、パーツ点検時などに、書き込まれて記憶された（１）〜（５）、及び（１０）〜（１１）の情報が読み出される。
【００５９】
（２）設置工程
設置工程は、製造されたスロットマシン100をホールに搬入して設置する工程であり、当該工程において、上記した（１）〜（１２）のうち、（６）〜（９）の情報が書き込まれる。
また、パーツ点検時などに、書き込まれて記憶された（１）〜（１１）の情報が読み出される。
【００６０】
（３）回収工程
回収工程は、ホールに設置したスロットマシン100を取り外し、工場に回収後、分解を行い、リサイクル可能な部品と廃棄する部品とを仕分ける工程であり、当該工程において、上記した（１）〜（１２）のうち、（１２）の情報が書き込まれる。
また、パーツ点検時などに、書き込まれて記憶された（１）〜（１２）の情報が読み出される。
【００６１】
（４）リサイクル工程
リサイクル工程は、リサイクル可能な部品を使用して、スロットマシン100を製造する工程であり、当該工程において、上記した（１）〜（１２）の新規情報が適宜に書き換えられたり、書き加えられたりして更新される。
また、パーツの点検時などに、更新された情報を含めて記憶された（１）〜（１２）の情報が読み出される。
（第二の実施の形態）
図６〜８を用いて、本発明の第二の実施の形態について、以下に説明する。
【００６２】
本実施の形態の特徴は、アンテナ210〜240が、図６〜７に示すように、第一アンテナである内部アンテナ211,221,231,241と、第二アンテナである外部アンテナ212,222,232,242とから構成されている点である。
具体的には、第一アンテナである内部アンテナ211,221,231,241は、図６〜７に示すように、筐体101の内部に配置され、ＲＦＩＤ300の情報の読み込み又は書き込みの少なくとも何れか一方を可能とするものである。
【００６３】
なお、内部アンテナ211,221,231,241の個数は、４個に限定されず、単数、或いは２〜３個、５個以上でも良い。また、内部アンテナ211,221,231,241を、左右の側板150,160、天板170、背板180に設けたが、これに限定されず、底板140、或いは他の部材に設けても良いし、又、位置も図６〜７に示した位置に限定されない。
第二アンテナである外部アンテナ212,222,232,242は、図６〜８に示すように、筐体101の外部に配置され、第一アンテナである内部アンテナ211,221,231,241と接続部250,251を介して接続されたものである。
【００６４】
なお、外部アンテナ212,222,232,242の個数は、４個に限定されず、の数は、４個に限定されず、単数、或いは２〜３個、５個以上でも良い。また、外部アンテナ212,222,232,242を、左右の側板150,160、天板170、背板180に設けたが、これに限定されず、底板140、或いは他の部材に設けても良いし、又、位置も図６〜７に示した位置に限定されない。
具体的には、図８に示すように、内部アンテナ211の巻き始端と、外部アンテナ212の巻き始端とを、接続部250で接続する。また、内部アンテナ211の巻き終端と、外部アンテナ212の巻き終端とを、接続部251で接続する。
【００６５】
なお、外部アンテナ212,222,232,242と内部アンテナ211,221,231,241とを、接続部250,251を介して有線的に接続したが、これに限定されず、無線的（非接触）に接続して良い。
外部アンテナ212,222,232,242は、図８に示すように、読込・書込装置500と接続可能なものである。
【００６６】
なお、外部アンテナ212,222,232,242と読込・書込装置500とを、無線的（非接触）に接続したが、これに限定されず、有線的（コネクト）に接続しても良い。
一方、内部アンテナ211,221,231,241と、外部アンテナ212,222,232,242とを一対一の関係で接続したが、これに限定されず、複数個の内部アンテナを、１個の外部アンテナに接続しても良い。例えば、４個の内部アンテナ211,221,231,241を、図示しないが、一つの外部アンテナに並列的に接続する。このように、接続することで、内部アンテナの個数に対して、外部アンテナの個数を減少することが可能である。また、一つの外部アンテナに、読込・書込装置500を接続することで、複数個の内部アンテナに接続することが可能となる。
【図面の簡単な説明】
【００６７】
【図１】スロットマシンの分解斜視図である。
【図２】アンテナを取り付けた状態を示すスロットマシンの斜視図である。
【図３】筐体とアンテナの分解断面図及びアンテナの一部拡大図である。
【図４】アンテナを取り付けた状態を示す筐体の断面図である。
【図５】主基板及びケースの一部斜視図である。
【図６】本発明の第二の実施の形態の一例を示すものであり、同図スロットマシンの分解斜視図である。
【図７】図６のアンテナを取り付けた状態を示す筐体の断面図である。
【図８】図６の内部アンテナと外部アンテナとを説明するための説明図である。
【符号の説明】
【００６８】
（第一の実施の形態）
100  スロットマシン                 101  筐体
102  扉開放部                       110  中空箱体
111  開放縁部                       112  取付凹部
113  貫通穴                         120  前面扉
121  開放縁部                       130  ヒンジ装置
140  底板                           150,160  側板
151,161  取手穴                     170  天板
180  背板                           181  通気溝
190  中空部                         200  アンテナ
201  導線                           202  導出部
300,300a〜300f  ＲＦＩＤ            400  リールユニット
401  分離部材                       410  主基板（電子制御装置）
411  ケース                         412  タワー
420  電源ユニット                   430  ホッパーユニット
440  サブ基板（電子制御装置）       441  ケース
450  メダルセレクター
（第二の実施の形態）
210  左側板のアンテナ               211  内部アンテナ（第１アンテナ）
212  外部アンテナ（第２アンテナ）   220  右側板のアンテナ
221  内部アンテナ（第１アンテナ）   222  外部アンテナ（第２アンテナ）
230  天板のアンテナ                 231  内部アンテナ（第１アンテナ）
232  外部アンテナ（第２アンテナ）   24O  背板のアンテナ
241  内部アンテナ（第１アンテナ）   242  外部アンテナ（第２アンテナ）
250,251  接続部                     500  読込・書込装置
【図１】
2005073816.tif 000003
【図２】
2005073816.tif 000004
【図３】
2005073816.tif 000005
【図４】
2005073816.tif 000006
【図５】
2005073816.tif 000007
【図６】
2005073816.tif 000008
【図７】
2005073816.tif 000009
【図８】
2005073816.tif 000010